(57)【特許請求の範囲】
【請求項１】
データを、所定の単位で、伝送路を介して伝送する送信装置において、
前記データを、重要度別に区分する区分手段と、
前記伝送路の状態が通常の状態であるか、または悪い状態であるかを判定する判定手段と、
前記判定手段により判定された前記伝送路の状態に応じて、前記データを伝送する伝送モードを、前記データを再送する再送モードとするか否かを選択する選択手段と、
前記伝送モードにしたがって配置したデータを送信する送信手段と
を備え、
前記送信手段は、前記伝送路の状態が悪い状態であるために、前記伝送モードとして再送モードが選択されている場合、少なくとも最も重要度の高いデータを再送対象のデータとして配置する
ことを特徴とする送信装置。
【請求項２】
前記重要度の高いデータを、前記所定の単位に、所定の回数だけ繰り返して配置することにより、前記重要度の高いデータの再送を行う
ことを特徴とする請求項１に記載の送信装置。
【請求項３】
前記重要度の高いデータは、その重要度に対応した回数だけ繰り返して、前記所定の単位に配置される
ことを特徴とする請求項２に記載の送信装置。
【請求項４】
前記重要度の高いデータは、その重要度に対応した間隔で、前記所定の単位に繰り返し配置される
ことを特徴とする請求項２に記載の送信装置。
【請求項５】
前記所定の単位のデータは、前記伝送モードが前記再送モードであるか否かを示すモードフラグと、前記モードフラグが前記再送モードであることを示している場合には、前記所定の単位における前記重要度の高いデータの配置位置とを含むヘッダを有する
ことを特徴とする請求項２に記載の送信装置。
【請求項６】
前記ヘッダは、前記重要度の高いデータを、前記所定の単位に繰り返し配置した回数を、さらに含む
ことを特徴とする請求項５に記載の送信装置。
【請求項７】
前記区分手段は、前記データを、前記重要度の高いものであるコアデータと、それ以外の前記重要度が低い付加データとに区分する
ことを特徴とする請求項１に記載の送信装置。
【請求項８】
前記コアデータは、少なくともテキストデータを含み、
前記付加データは、少なくとも動画像の映像信号およびそれに対応する音声信号を含む
ことを特徴とする請求項７に記載の送信装置。
【請求項９】
データを、所定の単位で、伝送路を介して伝送する送信方法において、
前記データを、重要度別に区分する区分ステップと、
前記伝送路の状態が通常の状態であるか、または悪い状態であるかを判定する判定ステップと、
前記判定ステップにより判定された前記伝送路の状態に応じて、前記データを伝送する伝送モードを、前記データを再送する再送モードとするか否かを選択する選択ステップと、
前記伝送モードにしたがって配置したデータを送信する送信ステップと
を備え、
前記送信ステップにおいて、前記伝送路の状態が悪い状態であるために、前記伝送モードとして再送モードが選択されている場合、少なくとも最も重要度の高いデータを再送対象のデータとして配置される
ことを特徴とする送信方法。
【請求項１０】
前記重要度の高いデータを、前記所定の単位に、所定の回数だけ繰り返して配置することにより、前記重要度の高いデータの再送を行う
ことを特徴とする請求項９に記載の送信方法。
【請求項１１】
前記重要度の高いデータは、その重要度に対応した回数だけ繰り返して、前記所定の単位に配置される
ことを特徴とする請求項１０に記載の送信方法。
【請求項１２】
前記重要度の高いデータは、その重要度に対応した間隔で、前記所定の単位に繰り返し配置される
ことを特徴とする請求項１０に記載の送信方法。
【請求項１３】
前記所定の単位のデータは、前記伝送モードが前記再送モードであるか否かを示すモードフラグと、前記モードフラグが前記再送モードであることを示している場合には、前記所定の単位における前記重要度の高いデータの配置位置とを含むヘッダを有する
ことを特徴とする請求項１０に記載の送信方法。
【請求項１４】
前記ヘッダは、前記重要度の高いデータを、前記所定の単位に繰り返し配置した回数を、さらに含む
ことを特徴とする請求項１３に記載の送信方法。
【請求項１５】
前記区分ステップにおいて、前記データを、前記重要度の高いものであるコアデータと、それ以外の前記重要度が低い付加データとに区分する
ことを特徴とする請求項９記載の送信方法。
【請求項１６】
前記コアデータは、少なくともテキストデータを含み、
前記付加データは、少なくとも動画像の映像信号およびそれに対応する音声信号を含む
ことを特徴とする請求項１５に記載の送信方法。
【請求項１７】
データを伝送する伝送モードが、伝送路の状態が通常の状態であるか、または悪い状態であるかを判定することによって設定されたモードフラグであって、前記データを再送する再送モードであるか否かを示すモードフラグを含む所定の単位のデータを、伝送路を介して受信する受信装置において、
前記モードフラグに基づいて、前記伝送モードが前記再送モードであるか否かを判定する判定手段と、
前記伝送モードが前記再送モードである場合に、前記所定の単位に繰り返し配置されている、複数の同一のデータを抽出する抽出手段と、
前記複数の同一のデータのうちの１つを選択する選択手段と
を備えることを特徴とする受信装置。
【請求項１８】
前記所定の単位に繰り返し配置されている、複数の同一のデータは、重要度の高いものである
ことを特徴とする請求項１７に記載の受信装置。
【請求項１９】
前記所定の単位のデータは、前記複数の同一のデータの配置位置をさらに含み、
前記抽出手段は、前記配置位置に基づいて、前記複数の同一のデータを抽出する
ことを特徴とする請求項１７に記載の受信装置。
【請求項２０】
前記所定の単位のデータは、前記複数の同一のデータを繰り返し配置した回数をさらに含み、
前記抽出手段は、前記回数に基づいて、前記複数の同一のデータを抽出する
ことを特徴とする請求項１７に記載の受信装置。
【請求項２１】
前記選択手段は、前記複数の同一のデータのうちの、信頼性の高いものを選択する
ことを特徴とする請求項１７に記載の受信装置。
【請求項２２】
前記選択手段は、前記複数の同一のデータの多数決をとることにより、前記複数の同一のデータのうちの、前記信頼性の高いものを選択する
ことを特徴とする請求項２１に記載の受信装置。
【請求項２３】
前記所定の単位のデータには、その誤り訂正のための誤り訂正符号が付加されており、
前記選択手段は、前記誤り訂正符号を用いてのデータの誤り訂正が行われるときに得られる誤り検出情報に基づいて、前記複数の同一のデータのうちの、前記信頼性の高いものを選択する
ことを特徴とする請求項２１に記載の受信装置。
【請求項２４】
データを伝送する伝送モードが、伝送路の状態が通常の状態であるか、または悪い状態であるかを判定することによって設定されたモードフラグであって、前記データを再送する再送モードであるか否かを示すモードフラグを含む所定の単位のデータを、伝送路を介して受信する受信方法において、
前記モードフラグに基づいて、前記伝送モードが前記再送モードであるか否かを判定する判定ステップと、
前記伝送モードが前記再送モードである場合に、前記所定の単位に繰り返し配置されている、複数の同一のデータを抽出する抽出ステップと、
前記複数の同一のデータのうちの１つを選択する選択ステップと
を備えることを特徴とする受信方法。
【請求項２５】
前記所定の単位に繰り返し配置されている、複数の同一のデータは、重要度の高いものである
ことを特徴とする請求項２４に記載の受信方法。
【請求項２６】
前記所定の単位のデータは、前記複数の同一のデータの配置位置をさらに含み、
前記抽出ステップにおいて、前記配置位置に基づいて、前記複数の同一のデータを抽出する
ことを特徴とする請求項２４に記載の受信方法。
【請求項２７】
前記所定の単位のデータは、前記複数の同一のデータを繰り返し配置した回数をさらに含み、
前記抽出ステップにおいて、前記回数に基づいて、前記複数の同一のデータを抽出する
ことを特徴とする請求項２４に記載の受信方法。
【請求項２８】
前記選択ステップにおいて、前記複数の同一のデータのうちの、信頼性の高いものを選択する
ことを特徴とする請求項２４に記載の受信方法。
【請求項２９】
前記選択ステップにおいて、前記複数の同一のデータの多数決をとることにより、前記複数の同一のデータのうちの、前記信頼性の高いものを選択する
ことを特徴とする請求項２８に記載の受信方法。
【請求項３０】
前記所定の単位のデータには、その誤り訂正のための誤り訂正符号が付加されており、
前記選択ステップにおいて、前記誤り訂正符号を用いてのデータの誤り訂正が行われるときに得られる誤り検出情報に基づいて、前記複数の同一のデータのうちの、前記信頼性の高いものを選択する
ことを特徴とする請求項２８に記載の受信方法。
【発明の詳細な説明】
【０００１】
【産業上の利用分野】
本発明は、例えば新聞社やその他のデータベースなどを有する情報提供者側から、テキスト（例えば、新聞や、雑誌、書籍などのテキスト）や、画像、音声などのデータを含むマルチメディアデータを、衛星などを介して配信する場合に用いて好適な送信装置および送信方法、並びに受信装置および受信方法に関する。
【０００２】
【従来の技術】
例えば新聞、雑誌、書籍等の情報は、紙に印刷された状態で配布されることが多い。また、近年、公衆電話網を用いたデータ通信技術の進歩に伴い、電子的な手段によりこれらの情報を配信することが可能になってきた。例えばパソコンを使って公衆電話網を経由して新聞等のデータベースにアクセスし、必要な情報を検索するオンラインサービスが広く行われている。
【０００３】
さらに、あらかじめサービスセンタと契約しておき、希望する新聞や雑誌の記事情報をファックスで配信してもらうというサービスも既に実用化されている。
【０００４】
しかしながら、紙による情報の配信は、以下のような問題点を有している。
（１）新聞を一紙読む、あるいは雑誌を一冊読む場合にはそれ程でもないが、複数の新聞、あるいは雑誌を読むという場合には量が大変かさばり、不便である。
（２）新聞を一家で一紙購読している場合、家族の人数が多くても同時には一人しか読むことができず、不便である。
（３）紙を大量に消費するため、木材、パルプの消費量が多くなる。
（４）輸送、配達のために配達員を確保する必要があり、輸送コストが高くなる。
（５）輸送、配達に自動車、二輪車などが用いられ、排気ガスを発生することから、環境破壊のおそれがある。
【０００５】
また、電子的な方法による情報の配信は、センタのデータベースにアクセスする為のアクセス料が高く、しかも通信費も要するため、コストが大変高いものになり、一般の人が手軽に利用できるものではない。
【０００６】
さらに、ファックスを使って送信するという方法は、サービスセンタにおいて契約者毎に希望した記事情報を選択するという人手を多く要する作業が必要となる為に、やはり情報料が大変高いものになり、一般の人が手軽に利用できるものではなかった。
【０００７】
そこで、本出願人は、例えば特願平５−２９７７４６号として、データを、衛星を介して伝送することにより、低コストで情報の提供を行う方法を先に提案している。さらに、この先の提案によれば、テキストの他、画像や音声のデータなどを含むマルチメディアデータを伝送することができるようになされている。
【０００８】
【発明が解決しようとする課題】
しかしながら、先の提案において伝送路とした衛星回線の状態は、天候により左右され易いため、受信データの信頼性に欠ける課題があった。
【０００９】
即ち、衛星を介してデータの送受信を行う場合には、例えば降雨などにより、受信側の受信レベルが減衰する。送信側では、自身が送出した信号を、衛星経由で受信し、その受信レベルに応じて、送信レベルを制御することにより、多少の雨に対しては、受信データに影響がないようになされているが、豪雨や、雷雨、台風、大雪などの環境下では、衛星回線における信号レベルの減衰が大きく、受信側において、受信信号を、正確なデータに復号することができない（例えば、映像や音声がとぎれる）課題があった。
【００１０】
そこで、例えばデータに強力な誤り訂正を施すことが考えられるが、伝送するデータ全体に強力な誤り訂正を施す場合には、データ量が、本来伝送すべきデータ量に比較して著しく増加し、伝送効率が大きく劣化するので、現実的ではない。
【００１１】
さらに、衛星回線の状態が悪い場合に、データのすべてが受信不可になるよりは、その一部だけでも受信することができる方が好ましい。
【００１２】
即ち、例えばニュース番組などを考えた場合、その番組を、事件の内容を説明するテキスト（文字）および音声、事件の起こった場所を表示する静止画、並びに事件の関係者へのインタビュー状況などを表示する動画などのデータを組み合わせたマルチメディアデータで構成したときには、少なくともテキストまたは音声を受信することができれば、事件の概要を把握することができる。
【００１３】
従って、上述のマルチメディアデータの中では、テキストまたは音声のデータが、最も重要度の高いデータであり、衛星回線の状態が悪い場合には、このテキストまたは音声のデータだけでも受信することができる方が好ましい。
【００１４】
また、上述のような豪雨や、雷雨、台風、大雪などのような災害が発生する恐れがある状況においては、人道的見地から、例えば雨が降っている様子や風が吹いている様子などを表示する動画像などよりも、例えば避難を促す警報（例えば、津波警報など）などの緊急情報を内容とする文字や音声の方が、情報としての重要度が高く（この場合には、最も重要なものと考えられる）、これらを優先して受信することができるようにする必要がある。
【００１５】
そして、この場合、さらに可能ならば、次に重要度の高いと考えられる、例えば緊急情報を大きな文字で表示した静止画を受信することができるようにする必要がある。
【００１６】
本発明は、このような状況に鑑みてなされたものであり、伝送路（例えば、衛星回線など）の状態が悪くても、受信側で重要度の高いデータを受信することができるようにするものである。
【００１７】
【課題を解決するための手段】
本発明の送信装置は、データを、重要度別に区分する区分手段と、伝送路の状態が通常の状態であるか、または悪い状態であるかを判定する判定手段と、判定手段により判定された伝送路の状態に応じて、データを伝送する伝送モードを、データを再送する再送モードとするか否かを選択する選択手段と、伝送モードにしたがって配置したデータを送信する送信手段とを備え、送信手段は、伝送路の状態が悪い状態であるために、伝送モードとして再送モードが選択されている場合、少なくとも最も重要度の高いデータを再送対象のデータとして配置することを特徴とする。
【００１８】
本発明の送信方法は、データを、重要度別に区分する区分ステップと、伝送路の状態が通常の状態であるか、または悪い状態であるかを判定する判定ステップと、判定ステップにより判定された伝送路の状態に応じて、データを伝送する伝送モードを、データを再送する再送モードとするか否かを選択する選択ステップと、伝送モードにしたがって配置したデータを送信する送信ステップとを備え、送信ステップにおいて、伝送路の状態が悪い状態であるために、伝送モードとして再送モードが選択されている場合、少なくとも最も重要度の高いデータを再送対象のデータとして配置されることを特徴とする。
【００１９】
本発明の受信装置は、モードフラグに基づいて、伝送モードが再送モードであるか否かを判定する判定手段と、伝送モードが再送モードである場合に、所定の単位に繰り返し配置されている、複数の同一のデータを抽出する抽出手段と、複数の同一のデータのうちの１つを選択する選択手段とを備えることを特徴とする。
【００２０】
本発明の受信方法は、モードフラグに基づいて、伝送モードが再送モードであるか否かを判定する判定ステップと、伝送モードが再送モードである場合に、所定の単位に繰り返し配置されている、複数の同一のデータを抽出する抽出ステップと、複数の同一のデータのうちの１つを選択する選択ステップとを備えることを特徴とする。
【００２８】
【作用】
本発明の送信装置および送信方法においては、データが、重要度別に区分され、伝送路の状態が通常の状態であるか、または悪い状態であるかが判定され、判定された伝送路の状態に応じて、データを伝送する伝送モードを、データを再送する再送モードとするか否かが選択される。そして、伝送モードにしたがって配置したデータが送信される。また、伝送路の状態が悪い状態であるために、伝送モードとして再送モードが選択されている場合、少なくとも最も重要度の高いデータを再送対象のデータとして配置する。
【００２９】
本発明の受信装置および受信方法においては、モードフラグに基づいて、伝送モードが再送モードであるか否かが判定され、伝送モードが再送モードである場合に、所定の単位に繰り返し配置されている、複数の同一のデータが抽出される。そして、その複数の同一のデータのうちの１つが選択される。
【００３０】
【実施例】
図１は、本発明のデータ放送システムの構成例を示している。情報提供者としての新聞社は、大型計算機１を有している。この大型計算機１には、紙面データベースが蓄えられている。この紙面データベースには、新聞に印刷するための記事情報や、レイアウト情報などが含まれている。このデータベースのデータ（コアデータ）は、必要に応じてワークステーション３に伝送され、そこにおいて編集される。
【００３１】
即ち、各紙面（ジャンル）毎に、受信側において最も検索し易い形に記事データを編集する。例えば、この編集により、レイアウトはそのままで、見出しだけが見える形で紙面がそのまま縮小された検索のための画面を作成する。さらにまた、この見出しから、それに対応する記事を表示することができるように、検索の画面（見出し）と、その詳細を記述した記事との関係付けが行われる。
【００３２】
また、新聞社には、例えば所定のテレビ局２よりビデオ情報（およびオーディオ情報）が供給される。新聞社は、必要に応じて、このビデオ情報（付加データ）をワークステーション３に入力し、ディジタル化、圧縮処理を行った後、大型計算機１より供給されたテキストデータと合成、編集する処理を行う。
【００３３】
このようにして編集された映像音声信号の組み合わされたマルチメディアの新聞データ（マルチメディアデータ）は、例えば地上のデータ回線を介して放送センタ（放送局）４に伝送される。
【００３４】
放送センタ４は、例えば図２に示すような送信装置を有している。即ち、新聞社から伝送されくるデータは、マルチメディア新聞データ（テキストデータと静止画像データを中心とするコアデータ、および動画像データとそれに対応する音声データを中心とする付加データから構成されている）、スクランブルキー、共通情報、受信装置ＩＤ、および契約内容などのデータとなされている。このうち、新聞データは、データスクランブラ１４に供給され、ＰＮ（ｐｓｅｕｄｏｎｏｉｓｅ）発生器１３が出力する疑似ランダム系列に対応してスクランブルされ、独立データチャンネル多重化回路１２に出力される。ＰＮ発生器１３が発生する疑似ランダム系列は、新聞社より供給されるスクランブルキーに対応して設定される。
【００３５】
このスクランブルキーの他、共通情報（図１１を参照して後述するように、新聞データ識別子などを含んでいる）、受信装置ＩＤおよび契約内容は、暗号化回路１１に供給される。暗号化回路１１には、上述のデータに加え、必要に応じて（例えば、契約の更新時など）所定のワークキーも供給されるようになされており、これらのデータは、そこで暗号化される。暗号化されたデータは、関連情報として、独立データチャンネル多重化回路１２に供給される。
【００３６】
独立データチャンネル多重化回路１２は、データスクランブラ１４より供給されるスクランブルされた新聞データと、暗号化回路１１より供給される関連情報とを多重化し、ディジタルチャンネル信号多重化回路１５に出力する。
【００３７】
以上の構成が、図４を参照して後述する独立データチャンネルにおけるデータを生成するためのエンコーダ２５を構成している。
【００３８】
ディジタルチャンネル信号多重化回路１５にはまた、図３を参照して後述する、ディジタルチャンルネル信号として伝送される（放送センタ４が放送する）音声信号（少なくともその一部は、後述する映像信号に付随する音声信号である）が入力される。ディジタルチャンネル信号多重化回路１５は、入力される音声信号（ディジタル音声信号）と、エンコーダ２５より供給されるデータとを多重化し、４相ＤＰＳＫ変調器１６に供給する。
【００３９】
４相ＤＰＳＫ変調器１６は、入力されたデータを４相ＤＰＳＫ変調し、映像信号／ディジタルチャンネル信号多重化回路１７に出力する。この映像信号／ディジタルチャンネル信号多重化回路１７にはまた、放送センタ４において放送する映像信号が入力されている。ディジタルチャンネル信号多重化回路１５に入力される音声信号がディジタル信号であるのに対して、映像信号／ディジタルチャンネル信号多重化回路１７に入力される映像信号はアナログ信号とされている。
【００４０】
映像信号／ディジタルチャンネル信号多重化回路１７は、入力される映像信号と、４相ＤＰＳＫ変調器１６より供給される信号とを周波数多重化し、ＦＭ変調器１８に出力する。ＦＭ変調器１８は、入力された信号で所定のキャリアをＦＭ変調し、アップコンバータ１９に出力する。アップコンバータ１９は、入力されたＦＭ信号の周波数をギガヘルツのオーダ（例えば、Ｋｕバンドの上りの１４ギガヘルツの周波数帯域）の周波数に周波数変換する。アップコンバータ１９より出力されたＦＭ信号は、電力増幅器２０で電力増幅された後、送信アンテナ２１に供給され、そこから衛星（放送衛星または通信衛星）５（図１）に送出される。
【００４１】
図３は、ＦＭ変調器１８に入力される信号の周波数スペクトラムを表している。同図に示すように、映像信号は約４．５ＭＨｚまでの周波数帯域を有しており、４相ＤＰＳＫ変調器１６より出力される信号は、５．７２７２７２ＭＨｚの周波数を副搬送波とする信号となされている。即ち、映像信号と４相ＤＰＳＫ信号とは、周波数多重されて伝送されることになる。
【００４２】
図４は、４相ＤＰＳＫ変調されたディジタルチャンネルデータのフォーマット（Ａモードにおけるフォーマット）を表している。同図に示すように、横６４ビット、縦３２ビットの、合計２０４８ビットのデータにより、１フレームのデータが構成されている。最初の２ビット×３２ビットの範囲には、フレーム同期信号、制御信号およびレンジビット信号が記録されるようになされている。
【００４３】
１フレームのデータは１ｍｓの時間で伝送されるため、伝送レートは２．０４８Ｍｂｐｓとなる。
【００４４】
フレーム同期信号は、各フレームの同期を取るための信号である。制御信号は、１６ビットが１単位とされ、表１に示すように、最初の１ビットは、ＡモードまたはＢモードのいずれのモードであるのかを表している。Ｂモードについては後述する。次の第２ビットと第３ビットにより、テレビジョン音声信号（映像信号に付随する音声信号）がステレオ信号であるのか、モノラル１チャンネルの信号であるのか、モノラル２チャンネルの信号であるのかを表すようになされている。
【００４５】
また、第４ビットと第５ビットは、テレビジョン音声以外に付加される付加信号がステレオ音声信号であるのか、モノラル１チャンネルの音声信号であるのか、モノラル２チャンネルの音声信号であるのか、あるいはまた、音声以外の信号であるのかを表している。第６ビット乃至第１５ビットは、将来の使用のための拡張ビットとされている。第１６ビットは、音声出力を抑圧するかしないかを表すための符号とされている。
【００４６】
【表１】
0003870978.tif 000002
【００４７】
表２は、第１乃至第５ビット、および第１６ビットのより詳細な内容を表している。即ち、第１ビットが０であるとき、モードがＡであることを表し、１であるとき、モードがＢであることを表している。また、第２ビットが０であり、第３ビットも０であるとき、テレビジョン音声信号がステレオであり、第２ビットが０であり、第３ビットが１であるとき、テレビジョン音声信号がモノラル２チャンネルの信号（図４のフォーマット中の音声１と２に記録される）であることを表している。また、第２ビットが１であり、第３ビットが０であるとき、テレビ音声信号はモノラル１チャンネルの信号（音声１に記録される）であることを表している。第２ビットと第３ビットが両方とも１である状態は、特に使用されていない。
【００４８】
また、第４ビットが０であり、第５ビットも０であるとき、付加音声がステレオであることを表し、第４ビットが０であり、第５ビットが１であるとき、付加音声がモノラル２チャンネルの信号（音声３と４に記録される）であることを表している。さらに、第４ビットが１であり、第５ビットが０であるとき、付加音声がモノラル１チャンネルの信号（音声３に記録される）であることを表している。第４ビットと第５ビットが両方とも１であるとき、伝送されるのは音声以外の信号（データ）であることを表している。
【００４９】
さらに、第１６ビットは、音声出力を抑圧するとき１とされ、抑圧を解除するとき０とされる。
【００５０】
【表２】
0003870978.tif 000003
【００５１】
図４に示すように、最初の２×３２ビットの範囲の次の１０×３２ビットの範囲、およびそれに続く１０×３２の３つの範囲には、それぞれ音声１乃至音声４の音声データが記録されるようになされている（但し、上述したように、音声３と４には、音声データ以外のデータが記録されることもある）。１０×３２ビットの各範囲には、音声データが３２サンプル分配置される。即ち、１サンプル当りのビット数は１０ビットとされている。しかしながら、アナログ音声信号は、１サンプル当り１４ビットのディジタルデータに変換される。このうち、有効桁の上位の１０ビットが選択され、１サンプルのデータとして伝送される。即ち、図５に示すように、１４ビットのデータのうちの有効桁の上位１０ビットのデータが選択されるため、その選択される範囲（レンジ）は、５つある。最初の２×３２ビットの範囲に記録されるレンジビットは、この５個のレンジのうちのどのレンジの１０ビットであるのかを表している。
【００５２】
Ａモード時においては、この１０×３２ビットの範囲に、１チャンネルの音声データを配置するようにするのであるが、Ｂモード時においては、２０×３２ビットの範囲に１チャンネル分の音声データが配置されるようになされる。即ち、Ｂモード時においては、より高品位の音声データを伝送することができるようになされている。
【００５３】
音声４のデータの次には、１５×３２ビットの範囲に、独立データチャンネルのデータが配置され、さらに最後の７×３２ビットの範囲には、横方向の誤り訂正符号（Ｃ１）が配置されている。
【００５４】
この図４に示す独立データチャンネルのデータは、パケットを単位としてデータが伝送される。図６は、このパケットのフォーマットを表している。同図に示すように、１パケットは２８８ビットにより構成され、先頭の１６ビットはヘッダ（パケットのヘッダ）とされ、それに続く１９０ビットに実質的なデータが配置され、最後の８２ビットに、パケットの誤り訂正符号（Ｃ１）が配置される。１６ビットのヘッダのうち、最初の５ビットは、サービス識別符号とされ、残りの１１ビットがサービス識別符号の横方向の誤り訂正符号（チェックビット）（Ｃ１）とされる。このサービス識別符号は、図１１を参照して後述するように、関連情報、マルチメディア新聞データ、および番組のヘッダ（後述する）の識別を行うための符号などを含んでいる。
【００５５】
パケットのヘッダのサービス識別符号としては、５ビットが用意されているため、論理的には３２種類のサービス（２８８ビットのパケットの２７２ビットの部分に配置されるデータの内容）を識別することが可能である。しかしながら、図７に示すように、５ビットの各ビットがすべて０である場合は、ダミーパケットとして送出するデータが存在しない場合の識別符号とされている。従って、実際には、残りの３１種類の識別符号により、３１種類のサービスを識別することが可能となる。
【００５６】
図４に示した１フレーム分のデータは、例えば図８に示すように、９フレーム分集められ、これによりスーパフレームが構成される。１パケット（２８８ビット）のビット列は、１スーパフレームのデータ（３２×９＝２８８ビット）より構成される。
【００５７】
また、図８に示すように、各フレームにおいて、データは、縦方向に順次伝送される。このため、バーストエラーは、図８において縦方向に発生することになる。そこで、このバーストエラーに対して強くするために、１５×３２ビットの範囲の独立データチャンネルは、斜め方向に多重化が行われる。図８に示すように、独立データチャンネルの横方向の長さは１５ビットであるため、この斜めの方向は１５通り存在する。図６に示した２８８ビットよりなるパケットは、この各方向に対応される。従って、独立データチャンネルには、１５通りの位置のパケット（１５チャンネルのパケット）が存在することになる。このように、斜め方向に多重化を行うことにより、各パケットを構成するデータをインターリーブすることが可能となり、バーストエラーに対して強くなる。
【００５８】
図９は、独立データチャンネルにおけるパケットの構成を模式的に表している。同図に示すように、１５通りの各パケットのうちの１つのパケットには、図２に示した暗号化回路１１が出力する関連情報が割り付けられる。そして、残りの１４個のパケットには、例えば各新聞社Ａ乃至Ｇのマルチメディア新聞データ（データスクランブラ１４より出力されるマルチメディア新聞データ）を割り付けることができる（但し、番組の先頭には、番組のヘッダが割り付けられる）。なお、１つの新聞社において、複数のパケットを同時に使用することも可能である。図９に示した実施例においては、関連情報として１つのパケットが用いられ、新聞社Ａ，Ｂ，Ｃの新聞記事データとして、それぞれ２パケットずつが割り当てられている。
【００５９】
図１０は、１５通りのパケットの位置毎のデータを模式的に表している。同図に示すように、この実施例においては、最初のパケットに関連情報が割り当てられ、第２番目乃至第１５番目の各パケットには、それぞれ新聞社Ａ乃至新聞社Ｎのデータが割り当てられている。即ち、関連情報と新聞データＡ乃至Ｎが同時に各家庭に伝送されることになる。
【００６０】
図１１と図１２は、パケットのより詳細なフォーマットを表してる。これらの図に示すように、２８８ビットよりなるパケットは、その最初の１６ビットがヘッダとされ、そこに関連情報や新聞データなどの識別データ（図６におけるサービス識別データ）が配置される。ヘッダに続く１９０ビットには、関連情報、新聞データ、あるいは図１５を参照して後述する番組のヘッダが配置され、最後の８２ビットに誤り訂正符号が配置される。
【００６１】
図１１に示すように、関連情報には、共通情報と個別情報の２種類がある。共通情報の先頭には、共通情報であるのか、個別情報であるのかを識別するための種類識別コードが割り当てられる。その次には、新聞Ａ，Ｂ，Ｃ，・・・のいずれの新聞のデータであるのかを識別するための新聞データ識別子が割り当てられている。さらにそれに続く位置には、使用するパケット位置のデータが配置されている。即ち、上述した１乃至１５のいずれの位置のパケットのデータであるのかを表すコードが、ここに割り当てられることになる。
【００６２】
さらに、その次には、スクランブルキーが割り当てられている。このスクランブルキーが、後述するデータ受信装置７において受信され、図２のデータスクランブラ１４においてスクランブルされたデータが、デスクランブル可能となる。
【００６３】
スクランブルキーの次には、放送開始時刻と放送終了時刻がさらに割り当てられている。放送終了時刻の次には、その他必要なコードを割り当てることが可能となされている。
【００６４】
一方、個別情報には、その先頭に、種類識別コードが割り当てられ、その次に受信装置ＩＤが割り当てられている。この受信装置ＩＤは、例えば各家庭に配置された図１の各データ受信装置７に対して割り当てられるものである。この受信装置ＩＤの次には、この受信装置ＩＤを有する契約者の契約内容が割り当てられている。以下、受信装置ＩＤとそれに対応する契約内容が順次割り当てられている。
【００６５】
なお、ワークキーは、それが図２の暗号化回路１１に入力される場合には、個別情報の、例えば受信装置ＩＤと契約内容との間に配置される。
【００６６】
図１０に示したように、最初のパケットに割り当てられている関連情報が常に伝送されるため、受信側においては、この関連情報をモニタすることにより、所定の新聞社のスクランブルキーや、その放送開始時刻、終了時刻を検知することができる。また、共通情報が送られていない所定の期間において、適宜伝送される個別情報に含まれる受信装置ＩＤを有するデータ受信装置が、その契約内容に符合する場合、所定の新聞社のマルチメディア新聞データをダウンロードすることが可能となる。
【００６７】
一方、図１２に示すように、１つの番組を構成するマルチメディア新聞データは、コアデータと付加データとに区分され、テキストデータを中心とするコアデータは、さらに検索紙面のデータと記事紙面のデータとに区分される。検索紙面のデータは、その最初にスタートコードが割り当てられている（検索紙面ａ）。このスタートコードは、例えば新聞Ａの新聞データが、ここから開始されることを表すものである。スタートコードの次には、新聞データ識別子が配置されている。この新聞データ識別子は、新聞社Ａ，Ｂ，Ｃ，・・・のいずれの新聞社のデータであるのかを識別するためのコードである。この新聞データ識別子の次には、検索紙面と記事データ、動画データ、音声データとを識別するための種類識別コードが割り当てられている。さらに、その次には、紙面識別データが割り当てられている。この紙面識別データは、例えば政治面、経済面、スポーツ面などの紙面の種類（ジャンル）を識別するものである。
【００６８】
紙面識別データの次には、見出し文が配置され、さらにその次に、その見出し文の文字サイズとフォント、さらにその位置データがそれぞれ配置される。また、位置データの次には、その見出し文が縦書きであるのか、横書きであるのかを表すレイアウトデータが配置されている。そして、さらにその次には、見出し文に対応する詳細な記事が記載されている位置へアクセスするためのポインタが配置されている。
【００６９】
以上の検索紙面ａは、最初のパケット（番組のヘッダの直後のパケット）のフォーマットであるが、２番目以降のパケットにおいては、検索紙面ｂまたはｃに示すようなフォーマットでよい。即ち、これらのパケットにおいては、スタートコードと新聞データ識別子が省略されたものとなっている。
【００７０】
なお、検索紙面ｃの先頭には、動画像データまたは音声データへアクセスするためのポインタが配置されている。この検索紙面ｃのフォーマットは、付加データが伝送される場合に用いられる。即ち、コアデータと付加データの両方を伝送する場合には、検索紙面ａ，ｃ、および必要に応じて検索紙面ｂのフォーマットが用いられる。また、後述するように、コアデータのみを伝送する場合には、検索紙面ａおよび必要に応じて検索紙面ｂのフォーマットが用いられる。
【００７１】
一方、マルチメディア新聞データのうちの記事データは、その先頭に種類識別データが配置され、その次にレイアウトが配置されている（記事データａ）。レイアウトの次には概要、そして、それに続いて詳細な記事の内容を表す記事データ（テキストや静止画のデータ）が配置されている。概要あるいは記事データが長く、１パケット内に収容しきれない場合においては、上述した記事データａに続いて、記事データｂに示すパケットが必要に応じて付加される。そして、記事データの終了位置には、コアデータの終了を表すエンドコードが付加される。
【００７２】
また、マルチメディア新聞データのうち、付加データは、動画データと音声データに区分される。この動画データまたは音声データの先頭には、記事データであるのか、あるいは、動画データを記録するパケットであるのか、音声データを記録するパケットであるのかを表す種類識別データが配置される。そして、その次には、動画データまたは音声データを圧縮するフォーマットを示すコード体系が配置される。さらに、それに続いて、種類識別データに対応する動画データまたは音声データが配置される（動画データａまたは音声データａ）。
【００７３】
動画データまたは音声データが１パケット以上の長さを有する場合、さらに、動画データｂまたは音声データｂが付加される。このパケットにも、動画データまたは音声データが配置される。そして、動画データまたは音声データが終了する位置には、その終了を表すエンドコードが配置される。
【００７４】
以上のようなフォーマットのコアデータと付加データで、１つの番組が構成されて配信される。
【００７５】
図１３は、検索紙面と記事紙面を模式的に表している。検索紙面は、図１３（ａ）に示すように、見出しだけが見えるように表示される。これに対して、記事紙面は、同図（ｂ）に示すように、見出しだけでなく、それに続いて概要、さらに詳細な記事が見えるように表示される。契約者は必要に応じて検索紙面の所定の見出しを、例えばマウスなどによりクリックすることにより、それを選択すると、その見出しに対応する概要と記事が、図１３（ｂ）に示すように表示されるようになされている。さらに、指定した記事に動画／音声情報が付加されている場合、同図（ｃ）に示すように、ビデオを表示することが可能である。
【００７６】
図１４は、コアデータを構成する検索紙面と記事データ、および付加データを構成する動画データと音声データの各パケットの全体の配置を表している。同図に示すように、先頭に、番組のヘッダが配置され、それに続いて検索紙面のパケットが配置されており、各検索紙面のパケットには、対応する記事データ、動画データ、音声データへアクセスすることを可能とするためのポインタが配置されている。
【００７７】
図１５は、各チャンネルの番組のフォーマットを表している。図１５（ａ）に示すように、各チャンネルの１つの番組は、重要度の高いデータとしての、例えばテキストデータと静止画像データ（いずれも、図１２で説明した記事データに含まれる）を中心とするコアデータ、およびそれ以外の、動画像データとその動画像データに対応する音声データを中心とする付加データの他、番組のヘッダから構成されている。各番組においては、最初にその番組のヘッダが配置され、それに続いて、コアデータと付加データが配置されている。１つのチャンネルには、上述したような構成（フォーマット）の番組が順次配置されている。
【００７８】
放送センタ４（図１）からデータ受信装置７までの伝送路、即ち、図１に示した場合においては衛星回線の状態が、通常状態のとき、図１５（ａ）に示したフォーマットで各番組を構成するコアデータおよび付加データの両方が伝送される。
【００７９】
一方、例えば降雨などの影響により、衛星回線の状態が悪いときには、各チャンネルの番組は、例えば図１５（ｂ）に示すフォーマットで伝送される。
【００８０】
即ち、付加データが配置されていた部分に、コアデータが繰り返し配置され、これにより付加データなしで各番組が構成される。番組を構成するデータの容量の上限はあらかじめ決まっているので、コアデータを繰り返し配置する回数は、そのコアデータの容量と、付加データが占有していた容量（付加データの容量）とに応じて、適応的に決められる。図１５（ｂ）においては、番組１のコアデータが、４回再送され、番組２のコアデータが２回再送される様子を示している。
【００８１】
以上のように、衛星回線の状態が悪いときには、コアデータが所定の回数だけ繰り返して配置されて番組が構成されることにより、コアデータが再送される。従って、データ受信装置７では、その複数のコアデータから、後述するようにして信頼性の高いコアデータを得ることが可能となる。
【００８２】
次に、各番組のヘッダは、図１５（ｃ）に示すように構成される。即ち、ヘッダは、データを伝送する伝送モードが、上述したコアデータのみを再送する再送モードであるか否かを示す再送フラグ（モードフラグ）と、コアデータを繰り返し配置した回数（これは、コアデータが再送される回数であり、以下、適宜、再送回数という）とから構成される。
【００８３】
再送フラグは、例えば１ビットのデータで、通常の場合（図１５（ａ）に示したフォーマットで番組の伝送が行われる場合）には、０および１のうちの、例えば０にされ、衛星回線の状態が悪く、コアデータが再送される場合（図１５（ｂ）に示したフォーマットで番組の伝送が行われる場合）には、０および１のうちの、例えば１にされる。そして、再送フラグが１の場合、即ちコアデータが再送される場合、その再送回数が、再送フラグの後に配置されてヘッダが構成される。
【００８４】
データ受信装置７（図１）では、各番組のヘッダにおける再送フラグが参照され、それが０である場合には、通常の番組の受信処理が行われる。また、再送フラグが１である場合には、それに続いて配置された再送回数がさらに参照される。そして、その再送回数に応じて、番組からコアデータが読み出され、その中から、信頼性の高いコアデータを選択する受信処理が行われる（詳細は、後述する）。
【００８５】
なお、衛星回線の状態は、放送センタ４で、例えば次のようにして判定される。即ち、放送センタ４（図１）では、衛星５に送出した信号が、その衛星５を経由して受信され、その受信レベルが、所定値より小さいとき、または所定値以上のとき、衛星回線の状態が、それぞれ悪い、または通常と判定される。
【００８６】
また、番組のヘッダは、それに続く番組のコアデータまたは付加データを復号するのに必ず必要なものであり、たとえ衛星回線の状態が悪くても、誤って受信されるのは極力避ける必要がある。そこで、番組のヘッダには、強力な誤り訂正が施されるようになされている。番組のヘッダのデータ容量は、その番組全体の容量に比較して充分小さく、従ってヘッダのみに強力な誤り訂正を施しても、伝送効率が大きく悪化することはない。
【００８７】
以上のようなデータが、図１における放送センタ４から衛星５に伝送され、衛星５から、例えば１２ギガヘルツの周波数の電波で、さらに例えば各家庭における受信者（契約者）に伝送される。各家庭においては、室外装置（パラボラアンテナ）６で、衛星５からの信号が受信され、所定の中間周波信号（ＩＦ信号）に変換される。このＩＦ信号は、データ受信装置７に入力される。データ受信装置７では、ＩＦ信号が復調され、内蔵する記録装置３０（図１６）に供給されて、例えばその記録媒体用スロット（図１）に着脱可能なミニディスク（商標）８などの記録媒体に記録される。使用者は、このミニディスク８を、例えばポータブル端末器９に装着し、受信したデータを検索紙面から検索し、必要な記事紙面を表示させることができる。あるいはまた、記録装置３０（図１６）で記録したデータを読み出して、必要に応じてテレビジョン受像機１０に出力し、表示させることができる。
【００８８】
図１６は、データ受信装置７の構成例を示している。同図に示すように、室外装置６より入力されたＩＦ信号は、ＢＳチューナ３２に供給されている。使用者は、契約した新聞データの放送時間をタイマ回路３４に予めセットしておく。タイマ回路３４はクロックを内蔵しており、そのセットした時刻が到来したとき、ＣＰＵ，ＲＯＭ，ＲＡＭなどよりなる処理回路３５に信号を出力する。
【００８９】
処理回路３５は、タイマ回路３４より信号が出力されたとき、電源オン／オフコントロール回路３６を制御し、電源回路３７をオンさせる。これにより、電源回路３７から各部に電力が供給され、データ受信装置７は動作可能状態となる。
【００９０】
また、このとき、処理回路３５は、ＢＳチューナコントロール回路３１を介してＢＳチューナ３２を制御し、契約した新聞社のデータが伝送されるチャンネルを選択させる。ＢＳチューナ３２は、入力されたＩＦ信号から、指令されたチャンネルの信号を復号し、デコーダ３３に出力する。デコーダ３３は、契約した新聞データが含まれるパケット位置のデータをデコードする。処理回路３５は、デコーダ３３がデコードしたデータを、記録装置３０の記録媒体駆動回路４１を介して記録媒体４２に供給し、記録させる。この記録媒体４２は、例えばハードディスクなどにより構成される。
【００９１】
なお、処理回路３５は、デコーダ３３からのデータを記録媒体４２に記録するとき、図１５（ｃ）に示した番組のヘッダを構成する再送フラグを参照し、その再送フラグの状態に応じて、番組を構成するデータに対し、所定の受信処理（後述する）を施すようになされている。
【００９２】
あるいはまた、処理回路３５は、例えばミニディスク８により構成される記録媒体に、記録媒体駆動回路４３を介してデコーダ３３の出力、またはハードディスク４２の再生出力を記録させる。
【００９３】
処理回路３５は、所定の指令が入力されたとき、記録媒体４２またはミニディスク８に記録されたデータを再生させ、ビデオ／オーディオ回路３８に供給し、ビデオ／オーディオ信号に変換させる。ビデオ／オーディオ回路３８より出力されたビデオ信号は、テレビジョン受像機１０に出力され、表示される。また、音声信号は、スピーカ１０Ａより出力される。
【００９４】
あるいはまた、図１を参照して説明したように、マルチメディア新聞データが記録されたミニディスク８を、ポータブル端末器９に装着することにより、ポータブル端末器９において新聞記事を見ることができる。音声信号は、内蔵するスピーカで聞くことができる。
【００９５】
この場合、図１３を参照して説明したように、マルチメディア新聞データは、検索紙面、記事紙面とビデオ表示面により構成されるので、最初に検索紙面（図１３（ａ））を表示させ、見出しを見て、必要な見出しを選択することにより、それに対応する記事紙面（図１３（ｂ））を表示させることができる。従って、ポータブル端末器９やテレビジョン受像機１０の表示部が小さくとも、情報を効率的に表示し、その中から所望のものを迅速に選択し、表示させることができる。
【００９６】
タイマ回路３４は、予め設定した所定の放送終了時刻が到来したとき、処理回路３５に信号を出力する。このとき、処理回路３５は、電源オン／オフコントロール回路３６を介して電源回路３７を制御し、各部への電源供給を中止させる。これにより、マルチメディア新聞データのダウンロードが完了される。
【００９７】
尚、契約したマルチメディア新聞データの放送時間に、使用者が他のチャンネルを受信している場合、処理回路３５は、ビデオ／オーディオ回路３８を介してチャンネル変更を促すメッセージをテレビジョン受像機１０に表示させる。あるいは、スピーカ１０Ａから警告音を発生させる。さらにまた、受信チャンネルを強制的かつ自動的に変更させるようにすることも可能である。
【００９８】
以上においては、使用者にデータ受信装置７が動作する時刻を設定させるようにしたが、電源が入っている状態のときに、関連情報に含まれている個々の新聞データの放送開始時刻および放送終了時刻を用いて、契約したマルチメディア新聞データの放送時間を予めタイマ回路に自動的にセットするようにすれば、使用者がいちいちデータ受信装置７が動作する時刻を設定することなく、データ受信装置７の電源がオフされている場合においても、自動的に契約したマルチメディア新聞データを受信させるようにすることも可能である。
【００９９】
図１７は、ＢＳチューナ３２とデコーダ３３のより詳細な構成例を示している。室外装置６より入力されたＩＦ信号は、ＢＳチューナ３２のＦＭ復調器７１に入力される。ＦＭ復調器７１には、ＢＳチューナコントロール回路３１よりＢＳチューナ制御信号が入力されている。ＦＭ復調器７１は、このＢＳチューナ制御信号に対応するチャンネルのＩＦ信号を、ベースバンド信号に復調し、映像信号／ディジタルチャンネル信号分離回路７２に出力する。映像信号／ディジタルチャンネル信号分離回路７２は、入力された信号から映像信号とディジタルチャンネル信号とを分離し、映像信号を、例えばテレビジョン受像機１０に出力し、表示させる。
【０１００】
一方、映像信号／ディジタルチャンネル信号分離回路７２により分離されたディジタルチャンネル信号は、４相ＤＰＳＫ復調器７３に入力され、復調される。４相ＤＰＳＫ復調器７３より出力された信号は、ディジタルチャンネル信号分離回路７４に入力され、そこで音声信号と独立データチャンネルの信号とに分離される。なお、音声信号と独立データチャンネルの信号とへの分離が行われる前に、図４に示した１フレームの終わりに付加されている誤り訂正符号を用いての誤り検出、訂正が行われる。
【０１０１】
音声信号は、上述した映像信号に対応するものである場合、テレビジョン受像機１０に出力される。その他の音声信号である場合、図示せぬオーディオ装置などに供給される。
【０１０２】
また、ディジタルチャンネル信号分離回路７４は、４相ＤＰＳＫ復調器７３より入力された信号から分離した独立データチャンネル信号を、デコーダ３３の新聞データ／関連情報分離回路８１に出力する。なお、このとき、ディジタルチャンネル信号分離回路７４は、図６などに示した独立データチャンネルの信号のパケットの終わりに付加されている誤り訂正符号を用いての誤り検出、訂正を行う。
【０１０３】
新聞データ／関連情報分離回路８１は、入力された信号から、マルチメディア新聞データと関連情報とを分離し、マルチメディア新聞データをデータデスクランブラ８７に出力し、関連情報を復号回路８２に出力する。
【０１０４】
一方、メモリ８３には、このデコーダ３３（データ受信装置７）に割り当てられている受信装置ＩＤおよびマスタキー（データ受信装置７（受信者）に固有の、ワークキーにかけられた暗号を解くためのキー（ワークキーを復号するためのキー））があらかじめ記憶されている。復号回路８２は、メモリ８３に記憶されているマスタキーを用いて、関連情報として入力されたワークキーの復号を行い、そのワークキーの復号を正しく行うことができた場合において、メモリ８３に記憶されている受信装置ＩＤと一致する受信装置ＩＤの契約内容が関連情報として入力されてきたとき、その契約内容を契約条件比較回路８４に供給し、内蔵するメモリ８４Ａに記憶させる。また、復号回路８２は、関連情報として伝送されてきたスクランブルキーを復号し、オン／オフ切換回路８５に出力する。
【０１０５】
そして、その後、入力される関連情報から、データ識別子を復号したとき、このデータ識別子が復号回路８２から契約条件比較回路８４に供給される。契約条件比較回路８４は、入力されたデータ識別子を、メモリ８４Ａに既に記憶されている契約内容と比較する。この契約内容には、予め契約されているマルチメディア新聞のデータ識別子が含まれている。契約条件比較回路８４は、契約料金未納、その他の禁止条件が契約内容に含まれていない限り、メモリ８４Ａに記憶されているデータ識別子と、復号回路８２より供給されたデータ識別子とが一致したとき、オン／オフ切換回路８５をオン状態に切り換える制御信号を出力する。これにより、復号回路８２より出力されたスクランブルキーが、オン／オフ切換回路８５を介してＰＮ発生器８６に供給される。
【０１０６】
ＰＮ発生器８６は、入力されたスクランブルキーに対応して、疑似ランダム系列を発生する。データデスクランブラ８７は、このＰＮ発生器８６より供給された疑似ランダム系列を利用して、新聞データ／関連情報分離回路８１より供給される新聞データをデスクランブルする。そして、このデスクランブルされた新聞データが記録装置３０に供給され、上述したようにして、ミニディスク８あるいはハードディスク（記録媒体）４２に記録される。
【０１０７】
尚、契約条件比較回路８４が比較するデータとしては、契約している新聞社のデータであるか否かを表す新聞データ識別子以外に、映像／音声データの種類識別データも含んでいる。受信データ中の新聞データ識別子が、契約している新聞の新聞データ識別子と一致する場合、検索紙面と記事紙面のデータからなるコアデータは、デスクランブルすることが可能であるが、さらに、映像／音声データ（付加データ）を受信することが契約されていなければ、この付加データはデスクランブルすることができない。勿論、映像／音声の付加データも、受信することが予め契約されていれば、契約条件比較回路８４のメモリ８４Ａに、その種類識別データも記憶されるため、付加データもデスクランブルすることができ、記録装置３０において記録することができる。
【０１０８】
次に、図１８は、上述した処理回路３５（図１６）における受信処理の詳細を説明するフローチャートである。まず処理回路３５では、ステップＳ１において、デコーダ３３から供給されるデータのうちの番組のヘッダ（図１５（ｃ））が解析される。そして、ステップＳ２に進み、そのヘッダに記述された再送フラグが１であるか否かが判定される。ステップＳ２において、再送フラグが１でないと判定された場合、即ち再送フラグが０で、各チャンネルの番組が、図１５（ａ）に示したフォーマットで伝送されてきている場合、ステップＳ３に進み、番組を構成するデータから、そのヘッダに続いて配置されているコアデータと付加データとが抽出され、上述したようにして、ミニディスク８またはハードディスク４２に記録されて、処理を終了する。
【０１０９】
また、ステップＳ２において、再送フラグが１であると判定された場合、即ち各チャンネルの番組が、図１５（ｂ）に示したようなフォーマットで伝送されてきている場合、ステップＳ４に進み、再送フラグの後に配置されている再送回数が、処理回路３５の内蔵するＣＰＵに読み込まれる。これにより、ＣＰＵの内蔵するレジスタに、再送回数がセット（設定）される。
【０１１０】
そして、ステップＳ５に進み、番組を構成するデータから、そのヘッダの直後に配置されたコアデータが抽出され、さらにそのコアデータの後に続いて配置されているコアデータが、再送回数だけ抽出される。
【０１１１】
即ち、例えば図１５（ｂ）に示したフォーマットのデータが伝送されてきた場合、番組１については、そのヘッダの直後のコアデータが抽出された後、さらにそれに続く４つのコアデータが抽出される。また、番組２については、そのヘッダの直後のコアデータが抽出された後、さらにそれに続く２つのコアデータが抽出される。
【０１１２】
抽出されたコアデータは、上述したようにして記録媒体４２（またはミニディスク８）に記録される。
【０１１３】
コアデータの記録後、ステップＳ６に進み、番組ごとのコアデータの多数決がとられ、その多数決結果に応じて、信頼性の高いコアデータが選択される。即ち、例えば図１５（ｂ）に示した番組１については、５つのコアデータが比較され、ある１ビットに注目した場合に、そのビットが１または０であるコアデータが、例えばそれぞれ２つまたは３つであるときには、多数決により、そのビットが０になっているコアデータが選択される。また、あるビットが１または０であるコアデータが、例えばそれぞれ４つまたは１つであるときには、多数決により、そのビットが１になっているコアデータが選択される。
【０１１４】
ここで、衛星回線の状態の悪化が、例えば豪雨などによる場合においては、豪雨は、経験上長い時間続かないので、伝送誤りの生じるコアデータは、複数伝送されたコアデータのうちの一部であることが予想される。従って、上述したように多数決を行うことにより、信頼性の高いコアデータを得ることができる。
【０１１５】
以上のようにして、いわば伝送誤りを正した、信頼性の高いコアデータを得た後、ステップＳ５で記録媒体４２に記録されたコアデータは消去され、その代わりに、上述した信頼性の高いコアデータが記録されて、処理を終了する。
【０１１６】
従って、衛星回線の状態が悪くても、信頼性の高いコアデータを得ることができるので、番組の概要を把握することができる。
【０１１７】
また、豪雨や、雷雨、台風、大雪などのような災害が発生する恐れがある状況においては、避難を促す警報などの緊急情報をコアデータとして再送することにより、その緊急情報を優先して、正確に受信することができる。なお、このような緊急情報を伝送する場合においては、ノンスクランブルで行うことが好ましい。
【０１１８】
なお、図１８のステップＳ６では、多数決をとる他、例えばコアデータのパケットに付加された誤り訂正符号を用いてのコアデータの誤り訂正が行われるときに得られる誤り検出情報に基づいて、信頼性の高いコアデータを得るようにすることができる。
【０１１９】
即ち、例えば上述したディジタルチャンネル信号分離回路７４で、パケットの誤り訂正符号を用いての、コアデータの誤り訂正が行われたときに、誤りが検出されなかったコアデータ、あるいは誤りの検出数（検出量）が最も少なかったコアデータを選択するようにすることができる。
【０１２０】
また、上述の場合においては、テキストおよび静止画のデータを中心としてコアデータを構成するようにしたが、コアデータは、例えばテキストデータのみを中心として構成しても良い。即ち、コアデータは、そのときに最も重要（重要度が最も高い）と考えられるデータを中心として構成するようにする。具体的には、例えば台風などの警告を放送する場合、通常は、その警告を表すテキストのデータが最も重要であるが、受信者（契約者）が、例えば目の不自由な人であるときには、警告を表す音声のデータが、最も重要なものとなる。
【０１２１】
次に、上述の場合においては、通常のときは、データを、重要なデータとしてのコアデータと、それ以外の付加データとの２つに区分して伝送し、さらに衛星回線の状態が悪いときには、コアデータのみを再送するようにしたが、この他、例えば図１９に示すように、番組を構成するデータを、その重要度に応じて３以上に区分し、衛星回線の状態が悪い場合には、重要度の高い、いくつかのデータを再送するようにすることもできる。
【０１２２】
即ち、図１９（ａ）においては、各番組を構成するデータが、その重要度に応じて、データＡ乃至Ｅの５つに区分されて伝送されるようになされている。ここで、データＡ乃至Ｅは、Ａ，Ｂ，Ｃ，Ｄ，Ｅの順に重要度が高いものとされている。即ち、データＡが最も重要なデータで、データＢが、その次に重要なデータで、以下同様にして、データＥが最も重要度の低い（最も重要でない）データとされている。
【０１２３】
具体的には、データＡは、例えばテキストを中心とするデータとし、データＢは、例えばそのテキストに対応する音声を中心とするデータとする。また、データＣは、例えば静止画を中心とするデータとする。さらに、データＤは、例えば動画像を中心とするデータとし、データＥは、例えばその動画像に対応する音声を中心とするデータとする。
【０１２４】
各番組においては、図１５における場合と同様に、最初にその番組のヘッダが配置され、それに続いて、データが配置されている。なお、データの配置順は、例えばその重要度順としても良いし、その他任意の順序としても良い。
【０１２５】
放送センタ４（図１）からデータ受信装置７までの伝送路、即ち、図１に示した場合においては衛星回線の状態が、通常状態のとき、図１９（ａ）に示したフォーマットで各番組を構成するデータすべてが伝送される。
【０１２６】
一方、例えば降雨などの影響により、衛星回線の状態が悪いときには、各チャンネルの番組は、例えば図１９（ｂ）に示すフォーマットで伝送される。
【０１２７】
即ち、番組を構成する重要度の高いデータが選択され、その番組に、所定の回数だけ繰り返して配置される。上述したように、番組を構成するデータの容量の上限はあらかじめ決まっているので、重要度の高いデータを繰り返し配置する回数は、その重要度の高いデータの容量とその重要度、および選択されなかった重要度の低いデータの容量（番組の空き容量）に応じて、適応的に決められる。
【０１２８】
図１９（ｂ）に示した番組１については、データＡ乃至Ｃが、それぞれ３乃至１個配置され、２乃至０回再送される（伝送は、それぞれ３乃至１回行われる）。また、番組２については、データＡまたはＢが、それぞれ３または２回個配置され、２または１回再送される。
【０１２９】
なお、図１９（ｂ）においては、データの重要度に対応して、即ち重要度の高いデータほど、その再送回数を多くするようにしたが、すべて同一の再送回数（０回を除く）とすることもできる。
【０１３０】
また、例えば番組１については、Ａ，Ｂ，Ｃ，Ａ，Ｂ，Ａの順番で、データＡ乃至Ｃを配置したが、この配置順は、任意に決めることができる。但し、同一のデータを、例えば連続して配置するなど、あまり間隔を空けずに配置すると、それらは、ほぼ同じタイミングで伝送されることとなり、衛星回線の状態が悪い場合には、最初に伝送されるデータに生じる誤りと同じ誤りが、その次（以降）に伝送されるデータに生じる可能性があるので、同一のデータは、なるべく間隔を空けて配置することが好ましい。
【０１３１】
天候の影響による衛星回線が悪化した状態は、上述したように長い時間続かないので、同一のデータを、間隔を空けて配置することにより、同一の伝送誤りが生じることを防止し、信頼性の高いデータを得ることができる。
【０１３２】
さらに、より重要度の高いデータほど、その信頼性が高いことが望ましいから、重要度の高いデータは、その重要度に対応した間隔で配置するようにすることができる。即ち、重要度が高いデータほど、間隔を空けて配置するようにすることができる。
【０１３３】
図１９（ｂ）の番組１においては、最も重要度の高いデータＡが、最も広く間隔を空けて配置され、次に重要度の高いデータＢが、その次に広く間隔を空けて配置されている（但し、図１９において、データＡ乃至Ｃのデータ容量の関係は、Ａ＜Ｂ＜Ｃとする）。
【０１３４】
以上のように、衛星回線の状態が悪いときには、重要度の高いデータだけが所定の回数だけ繰り返して配置されて番組が構成され、これにより重要度の高いデータが再送される。従って、データ受信装置７では、その複数の重要度の高いデータから、図１８で説明したようにして信頼性の高いデータを得ることができる（但し、図１９（ｂ）の番組１を構成するデータＣに関しては、その再送回数が０回で、１回しか伝送されないため、信頼性は低くなる。しかしながら、データＣは、重要度が高いデータの中で、最も重要度が低いものであるから、仮に正確なデータＣを得ることができなかったとしても、それより重要度の高いデータＡおよびＢが、高い信頼性で得られるので、大きな問題はない）。
【０１３５】
次に、衛星回線の状態が悪い場合に、図１９（ｂ）に示したフォーマットでデータが伝送されるときには、各番組のヘッダは、図１９（ｃ）に示すように構成される。即ち、番組のヘッダは、上述した再送フラグと、次のようなデータ構成表示部とから構成される。
【０１３６】
データ構成表示部には、例えば番組における重要度の高いデータの配置位置が記述される。即ち、例えば図１９（ｂ）に示した番組１には、データＡ乃至Ｃが、Ａ１，Ｂ２，Ｃ３，Ａ４，Ｂ５，Ａ６（Ａ乃至Ｃの後に付した数字は、配置順を示す）のように配置されているが、この場合、データ構成表示部には、データＡ１，Ｂ２，Ｃ３，Ａ４，Ｂ５，Ａ６それぞれの先頭の位置（配置位置）が記述される。また、図１９（ｂ）に示した番組２には、データＡおよびＢが、Ａ１，Ｂ２，Ａ３，Ｂ４，Ａ５のように配置されているので、データ構成表示部には、データＡ１，Ｂ２，Ａ３，Ｂ４，Ａ５それぞれの配置位置が記述される。
【０１３７】
なお、例えば同一のデータが、連続して配置される場合などには、データ構成表示部には、同一のデータの最初の配置位置と、その再送回数を記述するようにすることができる。即ち、例えばある番組の重要度の高いデータＡ乃至Ｃが、Ａ１，Ａ２，Ａ３，Ａ４，Ｂ５，Ｂ６，Ｃ７のような順序で配置される場合には、Ａ１，Ａ２，Ａ３，Ａ４，Ｂ５，Ｂ６，Ｃ７それぞれの配置位置ではなく、データＡ１の配置位置とデータＡの再送回数３、データＢ５の配置位置とデータＢの再送回数１、およびデータＣ７の配置位置とデータＣの再送回数０を、データ構成表示部に記述することができる。
【０１３８】
衛星回線の状態が悪い場合に、図１９（ｂ）に示したフォーマットでデータが伝送されるときには、データ受信装置７の処理回路３５（図１６）では、図１８で説明した受信処理に代えて、例えば図２０に示すような受信処理が行われる。即ち、この場合、処理回路３５では、ステップＳ１１乃至Ｓ１３において、図１８のステップＳ１乃至Ｓ３における処理とそれぞれ同様の処理が行われる。
【０１３９】
そして、ステップＳ１２において、再送フラグが１であると判定された場合、即ち各チャンネルの番組が、図１９（ｂ）に示したようなフォーマットで伝送されてきている場合、ステップＳ１４に進み、再送フラグの後に配置されているデータ構成表示部が、処理回路３５の内蔵するＣＰＵに読み込まれる。
【０１４０】
その後、ステップＳ１５に進み、番組のヘッダのデータ構成表示部の記述内容に基づいて、その番組に配置されたデータ（重要度の高いデータ）が抽出される。
【０１４１】
即ち、例えば図１９（ｂ）に示したフォーマットのデータが伝送されてきた場合、番組１のヘッダのデータ構成表示部には、上述したようにデータＡ１，Ｂ２，Ｃ３，Ａ４，Ｂ５，Ａ６それぞれの配置位置が記述されているから、その配置位置に対応して、データＡ１，Ｂ２，Ｃ３，Ａ４，Ｂ５，Ａ６が抽出される。また、番組２のヘッダのデータ構成表示部には、データＡ１，Ｂ２，Ａ３，Ｂ４，Ａ５それぞれの配置位置が記述されているから、その配置位置に対応して、データＡ１，Ｂ２，Ａ３，Ｂ４，Ａ５が抽出される。
【０１４２】
なお、上述したように、例えば重要度の高いデータＡ乃至Ｃが、Ａ１，Ａ２，Ａ３，Ａ４，Ｂ５，Ｂ６，Ｃ７のように配置された番組が伝送されてきた場合において、そのヘッダのデータ構成表示部に、データの配置位置とその再送回数（データＡ１の配置位置とデータＡの再送回数３、データＢ５の配置位置とデータＢの再送回数１、およびデータＣ７の配置位置とデータＣの再送回数０）が記述されているときには、まずデータＡ１の配置位置に対応して、データＡ１が抽出され、さらにそれに続く、再送回数分だけの（３つの）データＡ（データＡ２，Ａ３，Ａ４）が抽出される。そして、データＢ５の配置位置に対応して、データＢ５が抽出され、さらにそれに続く、再送回数分だけの（１つの）データＢ（データＢ６）が抽出される。その後、データＣ７の配置位置に対応して、データＣ７が抽出され、データＣの再送回数は０回なので、データＣの抽出は、データＣ７の抽出のみで終了する。
【０１４３】
抽出された重要度の高いデータは、上述したようにして記録媒体４２（またはミニディスク８）に記録される。
【０１４４】
データの記録後、ステップＳ１６に進み、ステップＳ１５で抽出されたデータに同一のものが２以上ある場合には、上述した図１８のステップＳ６で説明したように、それらの多数決がとられ、その多数決結果に応じて、信頼性の高いデータが選択される。即ち、ステップＳ１６では、少なくとも１回以上再送されたデータがある場合には、その多数決をとることにより、信頼性の高いデータが選択される。
【０１４５】
以上のようにして、信頼性の高いコアデータを得た後、ステップＳ１５で記録媒体４２に記録されたデータは消去され、その代わりに、上述した信頼性の高いデータが記録されて、処理を終了する。
【０１４６】
なお、再送回数が０回のデータは、ステップＳ１６で処理されることなく、記録媒体４２に記録された状態のままにされる。
【０１４７】
従って、この場合、上述した場合と同様に効果を得ることができる他、データを、その重要度の対応して、適応的に切り換えて伝送することができる。
【０１４８】
なお、ステップＳ１６では、図１８における場合と同様に、多数決をとる他、例えば重要度の高いデータに付加された誤り訂正符号を用いての誤り訂正が行われるときに得られる誤り検出情報に基づいて、信頼性の高いデータを得るようにすることもできる。
【０１４９】
以上、本発明をマルチメディア新聞データを伝送する場合を例として説明したが、例えば雑誌や書籍のデータを含むマルチメディアデータや、その他のマルチメディアデータを伝送する場合に、本発明は応用することが可能である。
【０１５０】
なお、本実施例においては、伝送路を衛星回線としたが、伝送路は、この他の無線回線（例えば、地上波の回線など）、あるいは有線回線（例えば、ＰＳＴＮ，ＩＳＤＮ，ＣＡＴＶ網、光ファイバ網など）を用いるようにすることが可能である。
【０１５１】
【発明の効果】
本発明の送信装置および送信方法によれば、データが、重要度別に区分され、伝送路の状態が通常の状態であるか、または悪い状態であるかが判定され、判定された伝送路の状態に応じて、データを伝送する伝送モードを、データを再送する再送モードとするか否かが選択される。そして、伝送モードにしたがって配置したデータが送信される。また、伝送路の状態が悪い状態であるために、伝送モードとして再送モードが選択されている場合、少なくとも最も重要度の高いデータを再送対象のデータとして配置する。従って、例えば、伝送路の状態が悪くても、受信側で重要度の高いデータであって、信頼度の高いものを得ることが可能となる。
本発明の受信装置および受信方法によれば、モードフラグに基づいて、伝送モードが再送モードであるか否かが判定され、伝送モードが再送モードである場合に、所定の単位に繰り返し配置されている、複数の同一のデータが抽出される。そして、その複数の同一のデータのうちの１つが選択される。従って、例えば、伝送路の状態が悪くても、信頼度の高いデータを得ることが可能となる。
【図面の簡単な説明】
【図１】本発明のデータ放送システムの構成を示す図である。
【図２】図１の放送センタ４の構成例を示すブロック図である。
【図３】図２のＦＭ変調器１８へ入力されるデータのスペクトラムを説明する図である。
【図４】図２のディジタルチャンネル信号多重化回路１５におけるディジタルチャンネルデータのフォーマットを説明する図である。
【図５】図４のフォーマットにおけるレンジビットを説明する図である。
【図６】独立データチャンネルのパケットのフォーマットを説明する図である。
【図７】図６のヘッダの機能を説明する図である。
【図８】独立データチャンネルにおける斜め方向多重方式を説明する図である。
【図９】図８の独立データチャンネルのパケットに記録されているデータを説明する図である。
【図１０】独立データチャンネルを構成するパケット位置を説明する図である。
【図１１】パケットの関連情報の詳細なフォーマットを説明する図である。
【図１２】パケットの新聞データの詳細なフォーマットを説明する図である。
【図１３】検索紙面と記事紙面とビデオ表示面とを説明する図である。
【図１４】１つの番組を構成するパケットの関係を説明する図である。
【図１５】番組の伝送フォーマットの例を示す図である。
【図１６】図１におけるデータ受信装置７の構成例を示すブロック図である。
【図１７】図１６のＢＳチューナ３２とデコーダ３３のより詳細な構成を示すブロック図である。
【図１８】図１６における処理回路３５の動作を説明するフローチャートである。
【図１９】番組の伝送フォーマットの他の例を示す図である。
【図２０】図１９に示すフォーマットで番組が伝送される場合の、図１６における処理回路３５の動作を説明するフローチャートである。
【符号の説明】
１  大型計算機
２  テレビ局
３  ワークステーション
４  放送センタ
５  衛星
６  室外装置
７  データ受信装置
８  ミニディスク
９  ポータブル端末器
１０  テレビジョン受像機
【図１】
0003870978.tif 000004
【図２】
0003870978.tif 000005
【図３】
0003870978.tif 000006
【図４】
0003870978.tif 000007
【図５】
0003870978.tif 000008
【図６】
0003870978.tif 000009
【図７】
0003870978.tif 000010
【図８】
0003870978.tif 000011
【図９】
0003870978.tif 000012
【図１０】
0003870978.tif 000013
【図１１】
0003870978.tif 000014
【図１２】
0003870978.tif 000015
【図１３】
0003870978.tif 000016
【図１４】
0003870978.tif 000017
【図１５】
0003870978.tif 000018
【図１６】
0003870978.tif 000019
【図１７】
0003870978.tif 000020
【図１８】
0003870978.tif 000021
【図１９】
0003870978.tif 000022
【図２０】
0003870978.tif 000023